(57)【要約】【課題】キートップによって１，２段目のスイッチをオンした後でもさらにキートップの下降を行なうことができる多段スイッチを提供する。【解決手段】第１スイッチ３０と、第１スイッチ３０を押圧する第１押圧部５１を有する第１押圧体４０と、第１押圧体４０上に設置される第２スイッチ載置体８０と、第２スイッチ載置体８０上に載置される第２スイッチ１２０と、第２スイッチ１２０を押圧する第２押圧部１８３を有するキートップ１８０とを具備する。第１押圧体４０に可撓性連結部４９を介して第１押圧部５１を連結する。キートップ１８０を押圧していくと、第２押圧部１８３が第２スイッチ１２０をオンし、次に第２スイッチ載置体８０とともに第１押圧体４０が下降して第１押圧部５１が第１スイッチ３０をオンする。さらにキートップ１８０を押圧すると可撓性連結部が４９撓むことでキートップ１８０を下降できる。【選択図】図２
2010009936.tif 000002
【特許請求の範囲】
【請求項１】
少なくとも、第１スイッチと、
前記第１スイッチ上に設置されこの第１スイッチを押圧する第１押圧部を有する第１押圧体と、
前記第１押圧体上に設置される第２スイッチ載置体と、
前記第２スイッチ載置体上に載置される第２スイッチと、
前記第２スイッチ上に設置されこの第２スイッチを押圧する第２押圧部を有する第２押圧体と、を具備し、
前記第１押圧体には可撓性連結部を介して前記第１押圧部が連結されており、
前記第２押圧体を押圧することで第２押圧部が第２スイッチを押圧し、さらに第２押圧体を押圧することで第２スイッチ載置体とともに第１押圧体が下降して第１押圧部が第１スイッチを押圧し、さらに第２押圧体を押圧した際に前記可撓性連結部が撓むことでさらなる第２押圧体の下降を可能としたことを特徴とする多段スイッチ。
【請求項２】
請求項１に記載の多段スイッチにおいて、
前記第１押圧体は少なくとも、静止側部材に取り付けられる第１固定部と、前記第１固定部に一端が連結される第１可撓性接続部と、前記第１可撓性接続部の他端に直接又は他の部分を介して連結される前記可撓性連結部と、前記可撓性連結部の所定位置に取り付けられる第１押圧部と、を具備して構成されていることを特徴とする多段スイッチ。
【請求項３】
請求項２に記載の多段スイッチにおいて、
前記第１可撓性接続部の他端には前記第２スイッチ載置体を取り付ける載置体取付部を設け、この載置体取付部に前記可撓性連結部を連結したことを特徴とする多段スイッチ。
【請求項４】
請求項２に記載の多段スイッチにおいて、
前記第１押圧体を構成する第１固定部と第１可撓性接続部と可撓性連結部と第１押圧部は、１枚の板状部材で形成されていることを特徴とする多段スイッチ。
【請求項５】
請求項２又は３又は４に記載の多段スイッチにおいて、
前記第２スイッチ載置体は、静止側部材に取り付けられる第２固定部と、前記第２スイッチを載置する第２スイッチ載置部と、前記第２固定部と第２スイッチ載置部間を接続する第２可撓性接続部と、を具備して構成されていることを特徴とする多段スイッチ。
【発明の詳細な説明】
【技術分野】
【０００１】
本発明は、１方向に押圧していくことで複数のスイッチを順次動作させていく構造の多段スイッチに関するものである。
【背景技術】
【０００２】
従来、押圧式のスイッチの中には、例えば特許文献１の図１に示すように、キートップ（５０）を押圧することでまず１段目の押圧スイッチ（１７）がオンし、さらにキートップ（５０）を押圧することで２段目の押圧スイッチ（９３）もオンする構造の２段スイッチがある。そしてこの種の２段スイッチにおいては、２段目の押圧スイッチ（９３）をオンしたキートップ（５０）をそれ以上下降させることはできなかった。
【０００３】
しかしながら電子機器の操作スイッチの操作感覚として、１，２段目の押圧スイッチを何れもオンした後にさらにキートップを少し押圧できる操作感覚のものが要望されていた。例えばデジタルカメラ等の操作スイッチの場合、１段目の押圧スイッチのオンによってカメラのピントを合わせ、２段目の押圧スイッチのオンによってカメラのシャッタを切るように用いるが、シャッタを切った際の２段目の押圧スイッチの押圧感触を柔らかい感触としたいような場合に上記要望が行なわれる。
【０００４】
また従来のように２段目の押圧スイッチがオンした状態でキートップをさらにそれ以上全く下降できないとすると、キートップの押圧力が強い場合、両押圧スイッチが何れも強い力で押圧されることになるので、経時的に両押圧スイッチが破壊されてしまう恐れ、即ち押圧スイッチの耐久性が阻害される恐れがあった。
【特許文献１】特開２００７−１７３０９４号公報
【発明の開示】
【発明が解決しようとする課題】
【０００５】
本発明は上述の点に鑑みてなされたものでありその目的は、キートップ等の押圧体によって１，２段目のスイッチをオンした後でもさらに押圧体の下降を行なうことができ、また押圧するスイッチの耐久性を向上することができる多段スイッチを提供することにある。
【課題を解決するための手段】
【０００６】
本願請求項１に記載の発明は、少なくとも、第１スイッチと、前記第１スイッチ上に設置されこの第１スイッチを押圧する第１押圧部を有する第１押圧体と、前記第１押圧体上に設置される第２スイッチ載置体と、前記第２スイッチ載置体上に載置される第２スイッチと、前記第２スイッチ上に設置されこの第２スイッチを押圧する第２押圧部を有する第２押圧体と、を具備し、前記第１押圧体には可撓性連結部を介して前記第１押圧部が連結されており、前記第２押圧体を押圧することで第２押圧部が第２スイッチを押圧し、さらに第２押圧体を押圧することで第２スイッチ載置体とともに第１押圧体が下降して第１押圧部が第１スイッチを押圧し、さらに第２押圧体を押圧した際に前記可撓性連結部が撓むことでさらなる第２押圧体の下降を可能としたことを特徴とする多段スイッチにある。
【０００７】
本願請求項２に記載の発明は、請求項１に記載の多段スイッチにおいて、前記第１押圧体は少なくとも、静止側部材に取り付けられる第１固定部と、前記第１固定部に一端が連結される第１可撓性接続部と、前記第１可撓性接続部の他端に直接又は他の部分を介して連結される前記可撓性連結部と、前記可撓性連結部の所定位置に取り付けられる第１押圧部と、を具備して構成されていることを特徴とする多段スイッチにある。
【０００８】
本願請求項３に記載の発明は、請求項２に記載の多段スイッチにおいて、前記第１可撓性接続部の他端には前記第２スイッチ載置体を取り付ける載置体取付部を設け、この載置体取付部に前記可撓性連結部を連結したことを特徴とする多段スイッチにある。
【０００９】
本願請求項４に記載の発明は、請求項２に記載の多段スイッチにおいて、前記第１押圧体を構成する第１固定部と第１可撓性接続部と可撓性連結部と第１押圧部は、１枚の板状部材で形成されていることを特徴とする多段スイッチにある。
【００１０】
本願請求項５に記載の発明は、請求項２又は３又は４に記載の多段スイッチにおいて、前記第２スイッチ載置体は、静止側部材に取り付けられる第２固定部と、前記第２スイッチを載置する第２スイッチ載置部と、前記第２固定部と第２スイッチ載置部間を接続する第２可撓性接続部と、を具備して構成されていることを特徴とする多段スイッチにある。
【発明の効果】
【００１１】
請求項１に記載の発明によれば、第２押圧体を押圧することで第２，第１スイッチが押圧された状態でもさらに第２押圧体を下降することができ、そのような操作感触を得たいという要望を容易且つ確実に実現することができる。
またたとえ第２押圧体を強い力で押圧しても、その力の一部は可撓性連結部が撓むことで吸収され、従って第２，第１スイッチが破壊されることはなく、これらスイッチの耐久性が向上する。
【００１２】
請求項２に記載の発明によれば、第１可撓性接続部がたわむことによって第１押圧体の第１固定部を除く部分を確実にスムーズに上下動させることができ、これによって第２押圧体の上下動をスムーズに行わせることができる。
【００１３】
請求項３に記載の発明によれば、第２スイッチ載置体を確実に第１押圧体上に設置することができる。
【００１４】
請求項４に記載の発明によれば、第１押圧体を１枚の板状部材で構成することができる。
【００１５】
請求項５に記載の発明によれば、第２可撓性接続部がたわむことによって第２スイッチ載置部とその上に載置した第２スイッチ及び第２押圧体を確実にスムーズに上下動させることができる。
【発明を実施するための最良の形態】
【００１６】
以下、本発明の実施形態を図面を参照して詳細に説明する。
〔第１実施形態〕
図１は本発明の第１実施形態にかかる多段スイッチ（以下「２段スイッチ」という）１−１の斜視図、図２は２段スイッチ１−１の概略断面図（図１のＡ−Ａ断面図）、図３は２段スイッチ１−１を上側から見た分解斜視図、図４は２段スイッチ１−１を下側から見た分解斜視図である。これらの図に示すように２段スイッチ１−１は、取付台１０上に、第１スイッチ３０を設けた第１スイッチ基板２０と、第１押圧部５１を設けた第１押圧体４０と、第２スイッチ載置体８０と、第２スイッチ１２０を設けた第２スイッチ基板１１０と、ケース１３０と、キートップ取付体１５０と、弾発手段（以下「コイルバネ」という）１７０と、第２押圧体（以下「キートップ」という）１８０とを取り付けて構成されている。以下各構成部品について説明する。なお以下の説明において、「上」とは図２に示す第１スイッチ３０から第２スイッチ１２０側を向く方向を言い、「下」とはその反対側を向く方向を言うものとする（第２実施形態においても同様）。
【００１７】
取付台１０は硬質板（この実施形態では合成樹脂板（例えばＡＢＳ樹脂板）を用いているが、金属板を用いてもよい）を平板矩形状に形成して構成されており、その所定位置（下記するケース１３０の各固定部１３９に対向する位置）には上下に貫通する複数（４ヶ所）の穴からなる取付部１１が設けられている。
【００１８】
第１スイッチ基板２０は可撓性を有する２枚の合成樹脂フイルム２０−１，２０−２を重ね合せ、両者に設けた接点パターンを小さな隙間を介して対向させることで第１スイッチ３０を形成して構成されている。即ち第１スイッチ３０はいわゆるメンブレンスイッチであり、この例ではクリック感触を生じる反転板は設置されていない。もちろん上側の合成樹脂フイルム２０−２上に反転板を設置することでクリック感触を生じさせるように構成しても良いし、さらに１枚の合成樹脂フイルム上に一対の接点パターンを設けてその上に反転板を設置することで第１スイッチを構成しても良い等、第１スイッチの構成は種々の変更が可能である。合成樹脂フイルム２０−１，２０−２としてこの例ではポリエチレンテレフタレート（ＰＥＴ）フイルムを用いているが、他の熱可塑性または熱硬化性または光硬化性の各種合成樹脂フイルムを用いて構成しても良い。また第１スイッチ基板２０の前記取付台１０の各取付部１１に対向する位置には、それぞれ上下に貫通する挿通部２１が設けられ、また下側の合成樹脂フイルム２０−１には外部引出用の帯状の引出部２３と、第２スイッチ基板１１０との連結用の帯状の連結部１１５とが接続されている。
【００１９】
第１押圧体４０は合成樹脂の一体成形品であり、この例ではＡＢＳ樹脂を用いているが、他の各種合成樹脂（特に熱可塑性の合成樹脂）によって構成しても良い。第１押圧体４０は全体として略矩形状であり、その外周部分（外周の１辺部分）に形成される略長尺矩形状の第１固定部４１と、第１固定部４１の両端上部から略平行に突出する一対の細帯薄板状の第１可撓性接続部４３と、両第１可撓性接続部４３の先端部分に接続され且つ両第１可撓性接続部４３の間の空間に設置される略矩形状の載置体取付部４５と、載置体取付部４５の中央に設けた略矩形状の上下に貫通する開口からなる第１押圧部収納部４７内において一対の対向する角部間を接続するように略Ｓ字状に設置される細帯薄板状の可撓性連結部４９と、可撓性連結部４９の中央に設置される上下方向に凸となる柱状の第１押圧部５１とを具備して構成されている。
【００２０】
第１固定部４１には上下に貫通する孔からなる一対の取付挿通部５３が設けられ、またその中央の外周側面には上下面に至る凹状の基板挿通部５５が形成されている。一対の第１可撓性接続部４３の先端部分は載置体取付部４５を接続することで連結されている。載置体取付部４５にはその上面の対向する一対の角部（可撓性連結部４９を接続している角部）の上面に、上方向に突出する一対の小突起からなる取付部５７が設けられている。
【００２１】
第２スイッチ載置体８０は１枚の弾性板によって構成されており、この例では金属板（例えばステンレス板，リン青銅板）を用いているが、場合によっては合成樹脂板で構成しても良い。第２スイッチ載置体８０は前記第１押圧体４０の外形形状とほぼ同一の外形形状を有しており、略長尺矩形状の第２固定部８１と、第２固定部８１の両端から略平行に突出する一対の帯状の第２可撓性接続部８３と、両第２可撓性接続部８３の先端部分に接続され且つ両第２可撓性接続部８３の間の空間に設置される略矩形状の第２スイッチ載置部８５とを具備して構成されている。第２固定部８１と両第２可撓性接続部８３と第２スイッチ載置部８５は、それぞれ前記第１押圧体４０の第１固定部４１と両第１可撓性接続部４３と載置体取付部４５に対向する位置で、これらと略同一外形形状に形成されている。第２固定部８１の前記一対の取付挿通部５３に対向する位置には上下に貫通する一対の挿通取付部８７が設けられ、また第２固定部８１中央の外周辺（前記基板挿通部５５に対向する位置）には凹状の基板挿通凹部８９が設けられている。第２スイッチ載置部８５の前記一対の取付部５７に対向する位置（対向する対角位置）にはこれら取付部５７を挿通する一対の貫通孔からなる被取付部９１が設けられている。
【００２２】
第２スイッチ基板１１０は可撓性を有する２枚の合成樹脂フイルム１１０−１，１１０−２を重ね合せ、両者に設けた接点パターンを小さな隙間を介して対向させることで第２スイッチ１２０を形成して構成されている。即ち第２スイッチ１２０はいわゆるメンブレンスイッチであり、この例ではクリック感触を生じる反転板は設置されていない。もちろん上側の合成樹脂フイルム１１０−２上に反転板を設置することでクリック感触を生じさせるように構成しても良いし、さらに１枚の合成樹脂フイルム上に一対の接点パターンを設けてその上に反転板を設置することで第２スイッチを構成しても良い等、第２スイッチの構成は種々の変更が可能である。第２スイッチ基板１１０の外形形状は前記第２スイッチ載置部８５の外形形状と略同一の略矩形状であり、各被取付部９１に対向する位置に、それぞれ上下に貫通する挿通取付部１１１が設けられている。またこの第２スイッチ基板１１０は連結部１１５によって第１スイッチ基板２０に連結されており、従って合成樹脂フイルム２０−１，２０−２と合成樹脂フイルム１１０−１，１１０−２とは１枚の合成樹脂フイルムによって構成されている。
【００２３】
ケース１３０は合成樹脂の成形品であり、この例ではＡＢＳ樹脂を用いているが、他の各種合成樹脂を用いても良く、また金属板を用いて構成しても良い。ケース１３０は前記取付台１０の外形寸法と略同一の外形寸法を有する矩形箱型であり、下面に凹状の収納部１３１を設け、またその上面中央に上方向に突出する円筒状のガイド突起１３３を設け、またケース１３０上面のガイド突起１３３の両側に一対の上下に貫通する小孔からなる取付穴１３５を設けて構成されている。ガイド突起１３３の中央には円形に上下に貫通する第２押圧部挿通部１３７が設けられている。ケース１３０下面の各角部近傍位置には下方向に向かって突出する複数本（４本）の固定部１３９が設けられている。これら固定部１３９は前記取付台１０の各取付部１１に対向する位置に設けられ、それぞれの先端は各取付部１１に挿入される外形寸法に形成されている。またケース１３０下面の前記第２押圧部挿通部１３７を中心にしてその両側位置には下方向に突出する高さの低い一対の押圧部１４１が設けられている。
【００２４】
キートップ取付体１５０は合成樹脂の一体成形品であり、この実施形態ではＡＢＳ樹脂を用いているが、他の各種合成樹脂によって構成しても良い。キートップ取付体１５０は下面が開放された円形の箱型であり、その内部が収納部１５１となっており、またその上面中央に円形に貫通するキートップ挿通穴１５３を設け、またその外周側壁の下端辺の１８０°対向する位置に下方向に突出する小突起からなる一対の取付係止部１５５を設けて構成されている。各取付係止部１５５は前記ケース１３０の各取付穴１３５に対向する位置に、各取付穴１３５にぴったり挿入できる寸法で形成されている。
【００２５】
コイルバネ１７０はこの実施形態ではステンレスを用いて構成しているが、他の金属または場合によっては金属以外の弾性を有するゴムや合成樹脂を用いて構成しても良い。
【００２６】
キートップ１８０は合成樹脂の一体成形品であり、この実施形態ではＡＢＳ樹脂を用いているが、他の各種合成樹脂を用いて構成しても良い。キートップ１８０は略円柱形状に形成され、その下面中央に円形の凹部１８１を設け、また凹部１８１の底面中央から下方向に向かって柱状の第２押圧部１８３を突出して設け、またその外周側壁の下部外周からリング状のつば部１８５を突出して設けて構成されている。キートップ１８０のつば部１８５を除く部分の外径寸法は前記キートップ取付体１５０のキートップ挿通穴１５３の内径寸法よりも小さく、つば部１８５の外径寸法はキートップ挿通穴１５３の内径寸法よりも大きい。
【００２７】
次に２段スイッチ１−１を組み立てるには、まずキートップ取付体１５０の収納部１５１にその下側からキートップ１８０を挿入し、次にキートップ１８０の凹部１８１にその下側からコイルバネ１７０を収納する。そしてキートップ１８０等を取り付けたキートップ取付体１５０の下側にケース１３０を設置し、その際キートップ取付体１５０の各取付係止部１５５をケース１３０の各取付穴１３５に挿入し、それらの先端をケース１３０の下面で熱かしめして固定する。このときキートップ１８０の第２押圧部１８３はケース１３０の第２押圧部挿通部１３７に挿入されており、またコイルバネ１７０はケース１３０の上面とキートップ１８０の下面間を両者が離れる方向に弾発している。
【００２８】
次に第１押圧体４０の上面に第２スイッチ載置体８０を載置し、さらに第２スイッチ載置体８０の第２スイッチ載置部８５上に第２スイッチ基板１１０を載置し、その際第１押圧体４０に設けた一対の取付部５７を第２スイッチ載置体８０の被取付部９１と第２スイッチ基板１１０の挿通取付部１１１とに挿入し、第２スイッチ基板１１０上で取付部５７の先端を熱かしめして固定する。次に前記第２スイッチ載置体８０と第２スイッチ基板１１０を取り付けた第１押圧体４０をケース１３０の下側から収納部１３１内に収納し、その際ケース１３０に設けた４本の固定部１３９の内の２本の固定部１３９を第２スイッチ載置体８０の一対の挿通取付部８７と第１押圧体４０の一対の取付挿通部５３とに挿入する。次に第１スイッチ基板２０を第１押圧体４０の下面側に配置し、さらにその下側に取付台１０を配置し、その際ケース１３０の４本の固定部１３９を第１スイッチ基板２０の各挿通部２１と取付台１０の各取付部１１に挿入し、それらの先端を取付台１０の下面において熱かしめする。これによって２段スイッチ１−１が完成する。このとき第１，第２スイッチ基板２０，１１０を連結している連結部１１５は第１押圧体４０の基板挿通部５５と第２スイッチ載置体８０の基板挿通凹部８９内を通過している。
【００２９】
次に２段スイッチ１−１の動作を説明する。図２においてキートップ１８０の上面を下方向に押圧すると、キートップ１８０はコイルバネ１７０の弾発力に抗して下降し、第２押圧部１８３が第２スイッチ基板１１０の第２スイッチ１２０を押圧してこれをオンする。引き続きキートップ１８０を押圧すると、第２スイッチ１２０がオンした状態のまま第２スイッチ載置体８０の第２スイッチ載置部８５と第１押圧体４０の載置体取付部４５とが、それぞれ第２可撓性接続部８３と第１可撓性接続部４３が撓むことで下降する。これによって図５に示すように第１押圧部５１が第１スイッチ基板２０の第１スイッチ３０を押圧してこれをオンする。
【００３０】
そしてさらにキートップ１８０を押圧すると、第２，第１スイッチ１２０，３０がオンした状態のまま、第１押圧体４０の可撓性連結部４９が図５に点線で示すように撓み、その分キートップ１８０及び第２スイッチ載置部８５と載置体取付部４５とが下降する（図５の点線では可撓性連結部４９と載置体取付部４５の下部の部分の移動状態のみを示している）。
【００３１】
以上説明したように２段スイッチ１−１は、第１スイッチ３０と、第１スイッチ３０上に設置され第１スイッチ３０を押圧する第１押圧部５１を有する第１押圧体４０と、第１押圧体４０上に設置される第２スイッチ載置体８０と、第２スイッチ載置体８０上に載置される第２スイッチ１２０と、第２スイッチ１２０上に設置され第２スイッチ１２０を押圧する第２押圧部１８３を有するキートップ１８０と、を具備し、第１押圧体４０に可撓性連結部４９を介して第１押圧部５１を連結し、キートップ１８０を押圧することで第２押圧部１８３が第２スイッチ１２０を押圧し、さらにキートップ１８０を押圧することで第２スイッチ載置体８０（その第２スイッチ載置部８５）とともに第１押圧体４０（その載置体取付部４５）を下降して第１押圧部５１が第１スイッチ３０を押圧し、さらにキートップ１８０を押圧した際に可撓性連結部４９が撓むことでさらなるキートップ１８０の下降を可能としている。つまりキートップ１８０を押圧することで第２，第１スイッチ１２０，３０が押圧された状態でもさらにキートップ１８０を下降することができ、そのような操作感触を得たいという要望を容易且つ確実に実現することができる。またたとえキートップ１８０を強い力で押圧しても、その力の一部は可撓性連結部４９が撓むことで吸収され、従って第２，第１スイッチ１２０，３０が破壊されることはなく、これらスイッチ１２０，３０の耐久性が向上する。
【００３２】
また２段スイッチ１−１においては、第１押圧体４０を、静止側部材に取り付けられる第１固定部４１と、第１固定部４１に一端が連結される第１可撓性接続部４３と、第１可撓性接続部４３の他端に載置体取付部（他の部分）４５を介して連結される可撓性連結部４９と、可撓性連結部４９の所定位置に取り付けられる第１押圧部５１と、を具備する構成としたので、第１可撓性接続部４３がたわむことによって第１押圧体４０の第１固定部４１を除く部分（特に載置体取付部４５の部分）を確実にスムーズに上下動させることができ、これによってキートップ１８０の上下動をスムーズに行わせることができる。また前述のように第１可撓性接続部４３の他端に第２スイッチ載置体８０（第２スイッチ載置部８５）を取り付ける載置体取付部４５を設けたので、第２スイッチ載置体８０（第２スイッチ載置部８５）を確実に第１押圧体４０上に設置することができる。
【００３３】
また２段スイッチ１−１においては、第２スイッチ載置体８０を、静止側部材に取り付ける第２固定部８１と、第２スイッチ１２０を載置する第２スイッチ載置部８５と、第２固定部８１と第２スイッチ載置部８５間を接続する第２可撓性接続部８３とを具備して構成したので、第２可撓性接続部８３がたわむことによって第２スイッチ載置部８５とその上に載置した第２スイッチ１２０及びキートップ１８０を確実にスムーズに上下動させることができる。
【００３４】
〔第２実施形態〕
図６は本発明の第２実施形態にかかる多段スイッチ（以下「２段スイッチ」という）１−２の斜視図、図７は２段スイッチ１−２の概略断面図（図６のＢ−Ｂ断面図）、図８は２段スイッチ１−２を上側から見た分解斜視図、図９は２段スイッチ１−２を下側から見た分解斜視図である。これらの図に示すように２段スイッチ１−２は、取付台２１０上に、第１スイッチ２３０を設けた第１スイッチ基板２２０と、第１押圧部２５１を設けた第１押圧体２４０と、第２スイッチ載置体２８０と、第２スイッチ３２０を設けた第２スイッチ基板３１０と、ケース３３０と、キートップ取付体３５０と、弾発手段（以下「コイルバネ」という）３７０と、第２押圧体（以下「キートップ」という）３８０とを取り付けて構成されている。以下各構成部品について説明する。
【００３５】
取付台２１０は硬質板（この実施形態では合成樹脂板（ＡＢＳ樹脂など）を用いているが、金属板等、他の各種材質であってもよい）を略平板矩形状に形成して構成されており、その所定位置（下記するケース３３０の各固定部３３９に対向する位置）に上下に貫通する複数（４ヶ所）の穴からなる取付部２１１を設けている。一方の辺側の２つの取付部２１１は取付台２１０上に設けた矩形状の一対の第１押圧体載置部２１３を貫通するように形成されている。両第１押圧体載置部２１３の間の隙間は連結部挿通部２１５となっている。
【００３６】
第１スイッチ基板２２０は可撓性を有する２枚の合成樹脂フイルム２２０−１，２２０−２を重ね合せ、両者に設けた接点パターンを小さな隙間を介して対向させることで第１スイッチ２３０を形成して構成されている。また第１スイッチ基板２２０の前記取付台２１０の第１押圧体載置部２１３を貫通していない側の一対の取付部２１１に対向する位置には、上下に貫通する挿通部２２１が設けられ、また下側の合成樹脂フイルム２２０−１には外部引出用の帯状の引出部２２３と、第２スイッチ基板３１０との連結用の帯状の連結部３１５とが接続されている。
【００３７】
第１押圧体２４０は１枚の板状部材（板バネ）によって形成されており、この例ではステンレス板を用いているが、他の金属板（例えばリン青銅板）を用いて構成しても良いし、各種合成樹脂（特に熱可塑性の合成樹脂）を用いて構成しても良い。第１押圧体２４０は全体として略矩形状であり、その外周部分（外周の１辺部分）に形成される略長尺矩形状の第１固定部２４１と、第１固定部２４１の両端から略平行に突出して先端が接続される一対の細帯状の第１可撓性接続部２４３と、両第１可撓性接続部２４３を接続した先端側中央部分から第１固定部２４１側に向けて突出することで両第１可撓性接続部２４３の間の空間に設置される細帯状の可撓性連結部２４９と、可撓性連結部２４９の先端近傍に設けられ下方向に凸状に湾曲変形する第１押圧部２５１とを具備して構成されている。第１固定部２４１には上下に貫通する一対の取付挿通部２５３が設けられ、またその中央の外側の辺には凹状の基板挿通部２５５が形成されている。
【００３８】
第２スイッチ載置体２８０は合成樹脂の一体成形品であり、この例ではＡＢＳ樹脂を用いているが、他の各種合成樹脂（特に熱可塑性の合成樹脂）によって構成しても良いし、場合によっては金属板によって構成しても良い。第２スイッチ載置体２８０は前記第１押圧体２４０の外形形状とほぼ同一の外形形状を有しており、略長尺矩形状の第２固定部２８１と、第２固定部２８１の両端から略平行に突出する一対の薄板帯状の第２可撓性接続部２８３と、両第２可撓性接続部２８３の先端部分に接続され且つ両第２可撓性接続部２８３の間に設置される略矩形状の第２スイッチ載置部２８５とを具備して構成されている。両第２可撓性接続部２８３は、前記第１押圧体２４０の両第１可撓性接続部２４３に対向する位置でこれら第１可撓性接続部２４３と略同一外形形状に形成されている。第２スイッチ載置部２８５は略矩形平板状であり、その上面の一方の対角位置近傍に一対の小突起状の取付部２８５ａを設け、またその下面の略中央位置に下方向に突出する可撓性連結部押圧部２８５ｂを設けて構成されている。第２固定部２８１の前記一対の取付挿通部２５３に対向する位置には上下に貫通する一対の挿通取付部２８７が設けられ、また第２固定部２８１の中央の外側辺（前記基板挿通部２５５に対向する位置）には凹状の基板挿通凹部２８９が設けられている。基板挿通凹部２８９の下面側には前記取付台２１０の連結部挿通部２１５に挿入される基板ガイド部２９１が設けられている。
【００３９】
第２スイッチ基板３１０は可撓性を有する２枚の合成樹脂フイルム３１０−１，３１０−２を重ね合せ、両者に設けた接点パターンを小さな隙間を介して対向させることで第２スイッチ３２０を形成して構成されている。第２スイッチ基板３１０の外形形状は前記第２スイッチ載置部２８５の外形形状と略同一の略矩形状であり、各取付部２８５ａに対向する位置に、それぞれ上下に貫通する挿通取付部３１１を設けている。またこの第２スイッチ基板３１０は連結部３１５によって第１スイッチ基板２２０に連結されており、従って第１，第２スイッチ基板２２０，３１０は１枚の合成樹脂フイルムによって構成されている。
【００４０】
ケース３３０は合成樹脂の成形品であり、この例ではＡＢＳ樹脂を用いているが、他の各種合成樹脂を用いても良く、また金属板を用いて構成しても良い。ケース３３０は前記取付台２１０の外形寸法と略同一の外形寸法を有する矩形箱型であり、下面に凹状の収納部３３１を設け、またその上面中央に上方向に突出する円筒状のガイド突起３３３を設け、またケース３３０上面のガイド突起３３３の両側に一対の上下に貫通する小孔からなる取付穴３３５を設けて構成されている。ガイド突起３３３の中央には円形に上下に貫通する第２押圧部挿通部３３７が設けられている。ケース３３０下面の各角部近傍位置には下方向に向かって突出する複数本（４本）の固定部３３９が設けられている。
【００４１】
キートップ取付体３５０は合成樹脂の一体成形品であり、この実施形態ではＡＢＳ樹脂を用いているが、他の各種合成樹脂を用いて構成しても良い。キートップ取付体３５０は下面が開放された円形の箱型であり、その内部が収納部３５１となっており、またその上面中央に円形に貫通するキートップ挿通穴３５３を設け、またその外周側壁の下端辺の１８０°対向する位置に下方向に突出する小突起からなる一対の取付係止部３５５を設けて構成されている。
【００４２】
コイルバネ３７０はこの実施形態ではステンレスを用いて構成しているが、他の金属または場合によっては金属以外の弾性を有するゴムや合成樹脂を用いて構成しても良い。
【００４３】
キートップ３８０は合成樹脂の一体成形品であり、この実施形態ではＡＢＳ樹脂を用いているが、他の各種合成樹脂を用いて構成しても良い。キートップ３８０は略円柱形状に形成され、その下面中央に円形の凹部３８１を設け、また凹部３８１の底面中央から下方向に向かって柱状の第２押圧部３８３を突出して設け、またその外周側壁の下部外周からリング状のつば部３８５を突出して設けて構成されている。キートップ３８０のつば部３８５を除く部分の外径寸法は前記キートップ取付体３５０のキートップ挿通穴３５３の内径寸法よりも小さく、つば部３８５の外径寸法はキートップ挿通穴３５３の内径寸法よりも大きい。
【００４４】
次に２段スイッチ１−２を組み立てるには、まずキートップ取付体３５０の収納部３５１にその下側からキートップ３８０を挿入し、次にキートップ３８０の凹部３８１にその下側からコイルバネ３７０を収納する。そしてこのキートップ取付体３５０の下側にケース３３０を設置し、その際キートップ取付体３５０の各取付係止部３５５をケース３３０の各取付穴３３５に挿入し、それらの先端をケース３３０の下面で熱かしめして固定する。このときキートップ３８０の第２押圧部３８３はケース３３０の第２押圧部挿通部３３７に挿入されており、またコイルバネ３７０はケース３３０の上面とキートップ３８０の下面間を両者が離れる方向に弾発している。
【００４５】
次に第２スイッチ載置体２８０の第２スイッチ載置部２８５上に第２スイッチ基板３１０を載置し、その際第２スイッチ載置部２８５に設けた一対の取付部２８５ａを第２スイッチ基板３１０の挿通取付部３１１に挿入し、第２スイッチ基板３１０上で取付部２８５ａの先端を熱かしめして固定する。次に前記第２スイッチ基板３１０を取り付けた第２スイッチ載置体８０とその下側に設置した第１押圧体２４０とをケース３３０の下側から収納部３３１内に収納し、その際ケース３３０に設けた４本の固定部３３９の内の２本の固定部３３９を第２スイッチ載置体２８０の一対の挿通取付部２８７と第１押圧体２４０の一対の取付挿通部２５３とに挿入する。次に第１スイッチ基板２２０を第１押圧体２４０の下面側に配置し、さらにその下側に取付台２１０を配置し、その際ケース３３０の４本の固定部３３９の内の２つの固定部３３９を第１スイッチ基板２２０の２つの挿通部２２１に挿入し、４つの固定部３３９を取付台２１０の４つの取付部２１１に挿入し、それらの先端を取付台２１０の下面において熱かしめする。これによって２段スイッチ１−２が完成する。このとき連結部３１５は取付台２１０の連結部挿通部２１５と第１押圧体２４０の基板挿通部２５５と第２スイッチ載置体２８０の基板挿通凹部２８９内を通過している。
【００４６】
次に２段スイッチ１−２の動作を説明する。図７においてキートップ３８０の上面を下方向に押圧すると、キートップ３８０はコイルバネ３７０の弾発力に抗して下降し、第２押圧部３８３が第２スイッチ基板３１０の第２スイッチ３２０を押圧してこれをオンする。引き続きキートップ３８０を押圧すると、第２スイッチ３２０がオンした状態のまま第２スイッチ載置体２８０の第２スイッチ載置部２８５が下降することで、第２スイッチ載置部２８５の下面に設けた可撓性連結部押圧部２８５ｂが第１押圧体２４０の可撓性連結部２４９の中間部分を押圧し、可撓性連結部２４９がその根元部分（第１可撓性接続部２４３に接続している部分）を中心に下方向に揺動し、このとき同時に第１可撓性接続部２４３自体も第１固定部２４１側の根元部分を中心に揺動し、これらのことから第１押圧部２５１が下降して図１０に示すように第１押圧部２５１が第１スイッチ基板２２０の第１スイッチ２３０を押圧し、これをオンする。
【００４７】
そしてさらにキートップ３８０を押圧すると、第２，第１スイッチ３２０，２３０がオンした状態のまま、第１押圧体２４０の可撓性連結部２４９が図１０に点線で示すように撓み（下降し）、その分キートップ３８０及び第２スイッチ載置部２８５が下降する。図１０の点線では、可撓性連結部２４９と可撓性連結部押圧部２８５ｂの部分の移動状態のみを示している。
【００４８】
以上説明したように２段スイッチ１−２の場合も、キートップ３８０を押圧することで第２，第１スイッチ３２０，２３０が押圧された状態でもさらにキートップ３８０を下降することができ、そのような操作感触を得たいという要望を容易且つ確実に実現することができる。またたとえキートップ３８０を強い力で押圧しても、その力の一部は可撓性連結部２４９が撓むことで吸収され、従って第２，第１スイッチ３２０，２３０が破壊されることがなくなる。また２段スイッチ１−２においても、第１押圧体２４０を、静止側部材に取り付けられる第１固定部２４１と、第１固定部２４１に一端が連結される第１可撓性接続部２４３と、第１可撓性接続部２４３の他端に直接連結される可撓性連結部２４９と、可撓性連結部２４９の所定位置に取り付けられる第１押圧部２５１と、を具備する構成としたので、第１可撓性接続部２４３がたわむことによって第１押圧体２４０の第１固定部２４１を除く部分を確実にスムーズに上下動させることができ、これによってキートップ３８０の上下動をスムーズに行わせることができる。また２段スイッチ１−２の場合、第１押圧体２４０を１枚の板状部材で構成することができる。また２段スイッチ１−２においても、第２スイッチ載置体２８０を、静止側部材に取り付ける第２固定部２８１と、第２スイッチ３２０を載置する第２スイッチ載置部２８５と、第２固定部２８１と第２スイッチ載置部２８５間を接続する第２可撓性接続部２８３とを具備して構成したので、第２可撓性接続部２８３がたわむことによって第２スイッチ載置部２８５とその上に載置した第２スイッチ３２０及びキートップ３８０を確実にスムーズに上下動させることができる。
【００４９】
なお上記説明した２段スイッチ１−１，１−２の組立手順は、何れもその一例であり、他の各種異なる組立手順を用いて組み立てても良いことはいうまでもない。
【００５０】
以上本発明の実施形態を説明したが、本発明は上記実施形態に限定されるものではなく、特許請求の範囲、及び明細書と図面に記載された技術的思想の範囲内において種々の変形が可能である。なお直接明細書及び図面に記載のない何れの形状・構造・材質であっても、本願発明の作用・効果を奏する以上、本願発明の技術的思想の範囲内である。例えば上記各実施形態では本発明を２段スイッチに適用した例を示したが、本発明は３段以上の多段スイッチに適用しても良い。その場合は上記各実施形態のキートップ１８０，３８０である第２押圧体の形状等を変更してその上部に３段目以上のスイッチ機構を重ねて設置するなどすれば良い。また上記実施形態では第１，第２スイッチをフレキシブルスイッチ基板上に形成したが、硬質のスイッチ基板上に形成しても良い。また基板のない接点だけで第１，第２スイッチを構成しても良い。
【００５１】
また上記２段スイッチ１−１では第２スイッチ載置体８０に第２固定部８１と第２可撓性接続部８３と第２スイッチ載置部８５とを設けたが、その下側に第１押圧部４０の第１可撓性接続部４３や第１固定部４１があるので、第２スイッチ載置体８０の第２固定部８１と第２可撓性接続部８３は省略し、第２スイッチ載置部８５のみを載置体取付部４５上に取り付けても良い。逆に第１押圧部４０の第１可撓性接続部４３と第１固定部４１を省略し、載置部取付体４５を第２スイッチ載置部８５に取り付ける等しても良い。また第１押圧体４０の第１可撓性接続部４３や可撓性連結部４９の本数を変更しても良い。また第１固定部４１（第２固定部８１）は１つとしたが複数としても良い。その場合は例えば第１可撓性接続部４３（第２可撓性接続部８３）の両端を２つの第１固定部４１（第２固定部８１）にそれぞれ接続、即ち両持ち状にすればよい。これらのことは２段スイッチ１−２においても同様である。
【００５２】
また上記実施形態ではキートップ１８０（３８０）を押圧して第２スイッチ１２０（３２０）がオンし、さらにキートップ１８０（３８０）を押圧して第１スイッチ３０（２３０）がオンする構成としたが、第１，第２スイッチ３０，１２０（２３０，３２０）のオンのタイミングは逆でも良い。即ち機械的に動作する第１，第２スイッチ３０，１２０（２３０，３２０）が、これらを押圧する押圧力に対してオンする順序は、各スイッチ３０，１２０（２３０，３２０）の押圧力に対する抗力によって決まるので、第１スイッチ３０（２３０）が第２スイッチ１２０（３２０）より先にオンしたり、後にオンしたりするのは前記抗力の設定によって任意に設定することができる。
【図面の簡単な説明】
【００５３】
【図１】２段スイッチ１−１の斜視図である。
【図２】２段スイッチ１−１の概略断面図（図１のＡ−Ａ断面図）である。
【図３】２段スイッチ１−１を上側から見た分解斜視図である。
【図４】２段スイッチ１−１を下側から見た分解斜視図である。
【図５】２段スイッチ１−１の動作説明図である。
【図６】２段スイッチ１−２の斜視図である。
【図７】２段スイッチ１−２の概略断面図（図６のＢ−Ｂ断面図）である。
【図８】２段スイッチ１−２を上側から見た分解斜視図である。
【図９】２段スイッチ１−２を下側から見た分解斜視図である。
【図１０】２段スイッチ１−２の動作説明図である。
【符号の説明】
【００５４】
１−１  ２段スイッチ（多段スイッチ）
３０  第１スイッチ
４０  第１押圧体
４１  第１固定部
４３  第１可撓性接続部
４５  載置体取付部
４９  可撓性連結部
５１  第１押圧部
８０  第２スイッチ載置体
８１  第２固定部
８３  第２可撓性接続部
８５  第２スイッチ載置部
１２０  第２スイッチ
１８０  キートップ（第２押圧体）
１８３  第２押圧部
１−２  ２段スイッチ（多段スイッチ）
２３０  第１スイッチ
２４０  第１押圧体
２４１  第１固定部
２４３  第１可撓性接続部
２４９  可撓性連結部
２５１  第１押圧部
２８０  第２スイッチ載置体
２８１  第２固定部
２８３  第２可撓性接続部
２８５  第２スイッチ載置部
３２０  第２スイッチ
３８０  キートップ（第２押圧体）
３８３  第２押圧部
【図１】
2010009936.tif 000003
【図２】
2010009936.tif 000004
【図３】
2010009936.tif 000005
【図４】
2010009936.tif 000006
【図５】
2010009936.tif 000007
【図６】
2010009936.tif 000008
【図７】
2010009936.tif 000009
【図８】
2010009936.tif 000010
【図９】
2010009936.tif 000011
【図１０】
2010009936.tif 000012